(57)【要約】      （修正有）【課題】ボルト挿通孔近傍の天井パネル内面の劣化が抑制された分割天井接続構造を提供する。【解決手段】上方へ折り返された樹脂成形第１天井パネル１の第１側縁部１ａと、上方へ折り返されて第１天井パネル１の第１側縁部１ａに対峙する樹脂成形第２天井パネル２の第２側縁部２ａと、第１側縁部１ａと第２縁部２ａとに挿通されて両者を接続するボルト１４とを備え、第１側縁部１ａに形成されたボルト挿通孔３と第２側縁部２ａに形成されたボルト挿通孔４とが、第１側縁部１ａと第２側縁部２ａとの延在方向に長軸が差し向けられた長孔である。【選択図】  図１
2004176481.tif 000002
【特許請求の範囲】
【請求項１】
上方へ折り返された樹脂成形第１天井パネルの第１側縁部と、上方へ折り返されて第１天井パネルの第１側縁部に対峙する樹脂成形第２天井パネルの第２側縁部と、第１側縁部と第２縁部とに挿通されて両者を接続するボルトとを備え、第１側縁部に形成されたボルト挿通孔と第２側縁部に形成されたボルト挿通孔とが、第１側縁部と第２側縁部との延在方向に長軸が差し向けられた長孔であることを特徴とするユニットルームの分割天井接続構造。
【請求項２】
第１側縁部と第２側縁部のボルト挿通孔近傍部が他部に比べて肉厚に形成されていることを特徴とする請求項１に記載のユニットルームの分割天井接続構造。
【請求項３】
第１側縁部のボルト挿通孔近傍部の第２側縁部に対峙する面が第２側縁部へ向けて盛り上がっており、第２側縁部のボルト挿通孔近傍部の第１側縁部に対峙する面が第１側縁部へ向けて盛り上がっていることを特徴とする請求項２に記載のユニットルームの分割天井接続構造。
【請求項４】
第１側縁部にリベット固定され第１側縁部に沿って延在する第１補強部材と、第２側縁部にリベット固定され第２側縁部に沿って延在する第２補強部材とを備え、第１側縁部と第１補強部材とが延在方向に微少相対変位可能であり、第２側縁部と第２補強部材とが延在方向に微少相対変位可能であることを特徴とする請求項１乃至３の何れか１項に記載のユニットルームの分割天井接続構造。
【発明の詳細な説明】
【０００１】
【発明の属する技術分野】
本発明は、ユニットルームの分割天井接続構造に関するものである。
【０００２】
【従来の技術】
ユニットルームの樹脂成形天井であって大寸法の天井は、一般に複数の樹脂成形天井パネルで構成されている。ユニットルームを設置現場で組み立てる際、立設したユニットルームの側壁パネル上に複数の天井パネルを順次載置し、次いで隣接する天井パネル同士を接続する。隣接する天井パネルの対峙する側縁部には一般に上方への折り返し部が形成されており、特許文献１に開示されているように、当該折り返し部に挿通したボルトを締め付けて、隣接する天井パネル同士を接続する。
【０００３】
【特許文献１】
特開２００２−２０６３０７
【０００４】
【発明が解決しようとする課題】
天井パネルの上方へ折り返された側縁部は、天井パネルの隣接する部位を支持する強度部材なので、曲げ応力が発生する。折り返し部に形成されたボルト挿通孔近傍の天井パネル内面は、ボルト挿通孔周縁での応力集中の影響を受けて比較的高応力になる可能性があり、天井内面清掃用の界面活性剤を多量に含有する洗剤が該部に付着すると、該部が劣化する可能性がある。
本発明は上記問題に鑑みてなされたものであり、ボルト挿通孔近傍の天井パネル内面の劣化が抑制された分割天井接続構造を提供することを目的とする。
【０００５】
【課題を解決するための手段】
上記課題を解決するために、本発明においては、上方へ折り返された樹脂成形第１天井パネルの第１側縁部と、上方へ折り返されて第１天井パネルの第１側縁部に対峙する樹脂成形第２天井パネルの第２側縁部と、第１側縁部と第２縁部とに挿通されて両者を接続するボルトとを備え、第１側縁部に形成されたボルト挿通孔と第２側縁部に形成されたボルト挿通孔とが、第１側縁部と第２側縁部との延在方向に長軸が差し向けられた長孔であることを特徴とするユニットルーの分割天井接続構造を提供する。
第１側縁部に形成されたボルト挿通孔と第２側縁部に形成されたボルト挿通孔とを、第１側縁部と第２側縁部との延在方向に長軸が差し向けられた長孔とすることり、ボルト挿通孔周縁での応力集中が抑制され、ボルト挿通孔近傍の天井パネル内面の応力上昇が抑制され、天井内面清掃用洗剤の付着による該部の劣化が抑制される。
【０００６】
本発明の好ましい態様においては、第１側縁部と第２側縁部のボルト挿通孔近傍部が他部に比べて肉厚に形成されている。
第１側縁部と第２側縁部のボルト挿通孔近傍部を他部に比べて肉厚に形成することにより、天井パネルの重量増を抑制しつつボルト挿通孔周縁の応力を緩和し、ひいてはボルト挿通孔近傍の天井パネル内面の応力を緩和することができる。
【０００７】
本発明の好ましい態様においては、第１側縁部のボルト挿通孔近傍部の第２側縁部に対峙する面が第２側縁部へ向けて盛り上がっており、第２側縁部のボルト挿通孔近傍部の第１側縁部に対峙する面が第１側縁部へ向けて盛り上がっている。上記構成により、パネル間隙間の延在方向分布を一定にし、ユニットルームの快適性を向上させることができる。
【０００８】
本発明の好ましい態様においては、ユニットルームの分割天井接続構造は、第１側縁部にリベット固定され第１側縁部に沿って延在する第１補強部材と、第２側縁部にリベット固定され第２側縁部に沿って延在する第２補強部材とを備え、第１側縁部と第１補強部材とが延在方向に微少相対変位可能であり、第２側縁部と第２補強部材とが延在方向に微少相対変位可能である。
第１側縁部にリベット固定され第１側縁部に沿って延在する第１補強部材と、第２側縁部にリベット固定され第２側縁部に沿って延在する第２補強部材とを配設する場合には、天井パネルが熱変形して膨張収縮する際に、樹脂製の天井パネルと一般に金属製の補強部材との線膨張係数の相違により、リベットが第１側縁部のリベット挿通孔、第２側縁部のリベット挿通孔を押圧してリベット挿通孔周縁に過大な応力を発生させるのを防止するために、第１側縁部と第１補強部材とを延在方向に微少相対変位可能とし、第２側縁部と第２補強部材とを延在方向に微少相対変位可能とするのが望ましい。
【０００９】
【発明の実施の形態】
本発明の実施例に係るユニットルームの分割天井接続構造を説明する。
図１に示すように、樹脂成形第１天井パネル１と樹脂成形第２天井パネル２とにより、ユニットルームの天井が構成されている。第１天井パネル１の第１側縁部１ａが上方へ折り返されている。第１側縁部１ａに対峙する第２天井パネル２の第２側縁部２ａが上方へ折り返されている。
図１、２に示すように、第１側縁部１ａ、第２側縁部２ａを貫通するボルト挿通孔３、４が、第１側縁部１ａ、第２側縁部２ａの延在方向に互いに間隔を隔てて複数配設されている。ボルト挿通孔３、４は、第１側縁部１ａ、第２側縁部２ａの延在方向に長軸が差し向けられた楕円形又は長円形に形成されている。
図３に示すように、第１側縁部１ａの第２側縁部２ａに対峙する面のボルト挿通孔３近傍部が、第２側縁部２ａ側へ盛り上がっており、第１側縁部１ａのボルト挿通孔３近傍部が他部に比べて肉厚になっている。第２側縁部２ａの第１側縁部１ａに対峙する面のボルト挿通孔４近傍部が、第１側縁部１ａ側へ盛り上がっており、第２側縁部２ａのボルト挿通孔４近傍部が他部に比べて肉厚になっている。
【００１０】
図３に示すように、アングル材から成る第１補強部材５が、第１側縁部１ａにリベット６により固定されている。第１側縁部１ａに形成されたリベット挿通孔７は第１補強部材５に形成されたリベット挿通孔８よりも大径に形成されている。第１補強部材５の脚部５ａは第１側縁部１ａの上縁を超えて第２天井パネル２側へ延びている。アングル材から成る第２補強部材９が、第２側縁部２ａにリベット６により固定されている。第２側縁部２ａに形成されたリベット挿通孔１０は第２補強部材９に形成されたリベット挿通孔１１よりも大径に形成されている。第２補強部材９の脚部９ａは第１補強部材５の脚部５ａに平行に延び下方から対峙している。第１補強部材５、第２補強部材９は第１側縁部１ａ、第２側縁部２ａの略全長に亘って延在している。
第１補強部材５にボルト挿通孔３に対峙してボルト挿通孔１２が形成されている。第２補強部材９にボルト挿通孔４に対峙してネジ孔１３が形成されている。
図１、３に示すように、ボルト１４が、ボルト挿通孔１２、３、４に挿通されネジ孔１３に螺合して第１側縁部１ａと第２側縁部２ａとを接続している。第１側縁部１ａと第２側縁部２ａとの間に、シール部材１５が介挿されている。シール部材１５は第２側縁部２ａに接着固定されている。
【００１１】
ユニットルームの組立現場で、立設されたユニットルーム側壁１００に天井パネルを取り付ける際には、図１に示すように、第１天井パネル１と第２天井パネル２とをユニットルーム側壁１００上に順次載置し、次いで、作業者が第１補強部材５の脚部５ａと第２補強部材９の脚部９ａとに手を掛け、第２補強部材の脚部９ａを第１補強部材の脚部５ａへ引き寄せ、第２側縁部２ａの上縁を第１補強部材の脚部５ａの下面に当接させる。ボルト挿通孔３とボルト挿通孔４とが正対し、且つ第２側縁部２ａ直下の第２パネル２下面が、第１側縁部１ａ直下の第１パネル１下面と面一になる。
作業者は、ボルト１４をボルト挿通孔１２、３、４に挿通すると共にネジ孔１３に螺合させて、第１側縁部１ａと第２側縁部２ａとを接続する。第１天井パネル１と第２天井パネル２とが段差を生ずることなく接続される。第１天井パネル１と第２天井パネル２との接続部が、シール部材１５によりシールされる。
【００１２】
第１天井パネル１の上方へ折り返された側縁部１ａ、第２天井パネル２の上方へ折り返された側縁部２ａは、第１天井パネル１、第２天井パネル２の隣接する部位を支持する強度部材なので、曲げ応力が発生する。ボルト挿通孔３、４の、ユニットルーム室内側周縁部である下側周縁部には、引っ張りの曲げ応力が発生するが、ボルト挿通孔３、４は、側縁部１ａ、２ａの延在方向へ長軸が差し向けられた楕円形又は長円形なので、応力集中が抑制され、引っ張りの曲げ応力は過大にならない。また、第１側縁部１ａ、第２側縁部２ａのボルト挿通孔３、４近傍部は他部に比べて肉厚に形成されているので、ボルト挿通孔３、４の下側周縁部の引っ張りの曲げ応力は更に緩和される。この結果、ボルト挿通孔３、４近傍の天井パネル１、２内面の応力上昇が抑制される。従って、天井内面の清掃に利用された界面活性剤を多量に含有する洗剤がボルト挿通孔３、４近傍の天井パネル１、２内面に残留しても、該部は劣化しない。
【００１３】
第１側縁部１ａのボルト挿通孔３を他部に比べて肉厚にし、第２側縁部２ａのボルト挿通孔４近傍部を他部に比べて肉厚にする際には、上記実施例にように、第１側縁部１ａの第２側縁部２ａに対峙する面と、第２側縁部２ａの第１側縁部１ａに対峙する面とを盛り上げるのが望ましい。
反対側の面を盛り上げて、前記対峙する面を平坦面にすると、ボルト１４を締め付けて第１側縁部１ａと第２側縁部２ａとを連結する際に、第１側縁部１ａのボルト挿通孔３近傍部と第２側縁部２ａのボルト挿通孔４近傍部との接近の程度が、隣接するボルト挿通孔間の中間部同士の接近の程度よりも大きくなり、ユニットルームの内側から見上げたシール部材１５の幅がボルト挿通孔３、４の近傍では狭く、他部では広くなって、見栄えが悪くなる。
第１側縁部１ａの第２側縁部２ａに対峙する面と、第２側縁部２ａの第１側縁部１ａに対峙する面とを盛り上げておけば、ボルト１４を締め付けて第１側縁部１ａと第２側縁部２ａとを連結する際に、盛り上げた部分が他部に比べて先にシール部材１５に食い込み、当該部分が他部に比べて先にシール部材１５から反力を受け、ボルト１４が早期に締まるので、第１側縁部１ａのボルト挿通孔３近傍部と第２側縁部２ａのボルト挿通孔４近傍部との接近の程度と、隣接するボルト挿通孔間の中間部同士の接近の程度とが均等化され、ユニットルームの内側から見上げたシール部材１５の幅が均一化されて、見栄えが良くなる。この結果、ユニットルームの快適性が向上する。
【００１４】
第１側縁部１ａに形成されたリベット挿通孔７は第１補強部材５に形成されたリベット挿通孔８よりも大径に形成されており、第２側縁部２ａに形成されたリベット挿通孔１０は第２補強部材９に形成されたリベット挿通孔１１よりも大径に形成されているので、第１天井パネル１、第２天井パネル２が熱変形して膨張収縮する際に、第１側縁部１ａと第１補強部材５とは延在方向に微少相対変位可能であり、第２側縁部２ａと第２補強部材９とは延在方向に微少相対変位可能である。この結果、天井パネル１、２が熱変形して膨張収縮する際に、樹脂製の第１側縁部１ａ、第２側縁部２ａと一般に金属製の補強部材５、９との線膨張係数の相違により、両者を接続するリベット６が第１側縁部１ａのリベット挿通孔７、第２側縁部２ａのリベット挿通孔１０を押圧してリベット挿通孔７、１０周縁に過大な応力を発生させる事態の発生が防止される。
【００１５】
第１天井パネル１、第２天井パネル２と、ユニットルームの側壁１００とは、図１に示すように回し縁１６を介して接続される。回し縁１６と第１天井パネル１、第２天井パネル２との接続は、図４に示すように、回し縁１６の内面に形成された爪１６ａを第１天井パネル１、第２天井パネル２の上面に係止させ、更に回し縁１６を第１天井パネル１、第２天井パネル２にビス止めすることにより行われる。従来の回し縁で採用された接着固定と機械固定の併用を止め機械固定のみにすることにより、コストダウンを図っている。
回し縁１６にアングル材挿入用の空間１６ｂを形成している。側壁長の大きなユニットルームを組み立てる際には、空間１６ｂにアングル材２００を挿入して、回し縁１６の曲げ剛性を増加させることにより、長大化した回し縁１６の変形が抑制され、回し縁１６の取り扱いが容易になる。
【００１６】
【発明の効果】
樹脂成形第１天井パネルの第１側縁部に形成されたボルト挿通孔と、樹脂成形第２天井パネルの第２側縁部に形成されたボルト挿通孔とを、第１側縁部と第２側縁部との延在方向に長軸が差し向けられた長孔とすることり、ボルト挿通孔周縁での応力集中が抑制され、ボルト挿通孔近傍の天井パネル内面の応力上昇が抑制され、天井内面清掃用洗剤の付着による該部の劣化が抑制される。
【図面の簡単な説明】
【図１】本発明の実施例に係るユニットルームの分割天井接続構造を有する樹脂成形ユニットルーム天井の斜視図である。
【図２】本発明の他の実施例に係るユニットルームの分割天井接続構造の構成要素である樹脂成形天井パネルの上方へ折り返された側縁部の正面図である。
【図３】本発明の他の実施例に係るニットルームの分割天井接続構造の断面図である。
【図４】本発明の実施例に係るユニットルームの分割天井接続構造を有する樹脂成形ユニットルーム天井に使用される回し縁の断面図である。
【符号の説明】
１  樹脂成形第１天井パネル
１ａ  第１側縁部
２  樹脂成形第２天井パネル
２ａ  第２側縁部
３、４  ボルト挿通孔
５  第１補強部材
９  第２補強部材
１４  ボルト
１５  シール部材
１６  回し縁
【図１】
2004176481.tif 000003
【図２】
2004176481.tif 000004
【図３】
2004176481.tif 000005
【図４】
2004176481.tif 000006